(57)【要約】【課題】  排泄物を洗浄除去し乾燥した後に繰り返し再使用可能な吸収部材を有する介護用パンツを提供すること。【解決手段】  パンツ本体２と吸収部材３とを具備する介護用パンツ１であって、吸収部材３の股間吸収材７の縦方向両端に設けた前記パンツ本体２の半腰巻部４よりも更に横方向に長い半腰巻吸収材６の前記半腰巻部４よりも突出部分の外側面に第１接着部材１１を設け、該第１接着部材１１よりも半腰巻部４寄りの内側面に第２接着部材１２を設け、更に前記半腰巻部４の両端の外側面に第３接着部材１３を設けたこと。【選択図】  図１
2014233492.tif 000002
【特許請求の範囲】
【請求項１】
幅広な横方向両端部の内側面又は外側面に脇接着部を有する２つの半腰巻部とこれら２つの半腰巻部の相向かい合う中央部同士を縦方向両端部で連結固定する横幅狭な股間連結部を有するパンツ本体と、該パンツ本体の前記２つの半腰巻部及び前記股間連結部の内側面にその外側面が密着する吸収部材と、を具備する介護用パンツであって、
前記パンツ本体は少なくとも外側に防水部材層を有する柔軟な材質であり、前記吸収部材は少なくとも内側に排泄物を吸収保持する吸収材と外側に防水部材を有する２層以上を重ね合わせた柔軟な材質であり、且つ、前記吸収部材は吸収保持した排泄物を洗浄除去し乾燥した後に繰り返し再使用可能である材質からなり、
前記吸収部材の股間吸収材の縦方向両端に設けた前記パンツ本体の半腰巻部よりも更に横方向に長い半腰巻吸収材の前記半腰巻部よりも突出部分の外側面に第１接着部材を設け、該第１接着部材よりも半腰巻部寄りの内側面に第２接着部材を設け、更に前記半腰巻部の両端の外側面に第３接着部材を設けたことを特徴とする介護用パンツ。
【請求項２】
前記吸収部材の少なくとも一層が布であることを特徴とする請求項１記載の介護用パンツ。
【発明の詳細な説明】
【技術分野】
【０００１】
本発明は、パンツ本体と吸収部材からなり、吸収部材が繰り返し再使用可能である介護用パンツに関する。
【背景技術】
【０００２】
従来、失禁パンツとして、特許文献１に開示されているように、パンツ本体の股部内側に防水シートを設け、さらに防水シートの人体と接触する側に通気性の表面シートを設け、これら２枚のシートの後端を部分的に接着し略ポケット状としたものであって、ポケットに吸収部材の端を挿入し２枚のシートの間に吸収部材を挟みこむことで吸収部材を固定し、表面シートの端をめくって吸収部材を容易に交換することができるものが知られている。また吸収部材としては、２枚の不織布の全周縁を接合することにより形成された内部の空間に略粒状または略粉状の吸収ポリマーを封入したものが知られている。
【先行技術文献】
【特許文献】
【０００３】
【特許文献１】特開２０１０−２３３６０２
【発明の開示】
【発明が解決しようとする課題】
【０００４】
しかしながら、特許文献１に開示されている失禁パンツでは、吸収部材に使用されるポリマー等は一度しか使用できず、使用後は廃棄処分せざるを得なかった。したがって、長期に渡って失禁パンツを使用し続ける必要がある場合、吸収部材を継続して大量に購入する必要があり、金銭的な負担が大きかった。
【０００５】
また、吸収部材を交換する際、人体と接触している表面シートを手でめくる必要があり、交換時に手が汚れたり、めくりあげた表面シートによりパンツ本体が汚れることがあった。さらに、吸収部材は容易に交換できても、表面シートがパンツ本体と一体であるため、パンツ本体を交換するまで表面シートについた尿等の汚れはパンツ本体に残存し、陰部が不潔となるという問題もあった。
【０００６】
加えて、吸収部材はシートの間に挟まれているが、安定して固定されていないため、吸収部材がパンツ本体内でずれることによる尿漏れを防ぐことができず、特にパンツ装着時に激しく体を動かすと吸収部材が外れるおそれもあった。
【０００７】
本発明は、上記の課題を解決するためなされたものであって、吸収部材を繰り返し再使用することができ、吸収部材がずれることによる排泄物の漏れを防ぎ、より清潔な状態で使用でき、吸収部材の着脱及びパンツ自体の着脱が容易である介護用パンツを提供することを目的とする。
【課題を解決するための手段】
【０００８】
請求項１に記載の介護用パンツは、幅広な横方向両端部の内側面又は外側面に脇接着部を有する２つの半腰巻部とこれら２つの半腰巻部の相向かい合う中央部同士を縦方向両端部で連結固定する横幅狭な股間連結部を有するパンツ本体と、該パンツ本体の前記２つの半腰巻部及び前記股間連結部の内側面にその外側面が密着する吸収部材と、を具備する介護用パンツであって、前記パンツ本体は少なくとも外側に防水部材層を有する柔軟な材質であり、前記吸収部材は少なくとも内側に排泄物を吸収保持する吸収材と外側に防水部材を有する２層以上を重ね合わせた柔軟な材質であり、且つ、前記吸収部材は吸収保持した排泄物を洗浄除去し乾燥した後に繰り返し再使用可能である材質からなり、前記吸収部材の股間吸収材の縦方向両端に設けた前記パンツ本体の半腰巻部よりも更に横方向に長い半腰巻吸収材の前記半腰巻部よりも突出部分の外側面に第１接着部材を設け、該第１接着部材よりも半腰巻部寄りの内側面に第２接着部材を設け、更に前記半腰巻部の両端の外側面に第３接着部材を設けたことを特徴としている。
【０００９】
請求項２に記載の介護用パンツは、請求項１に記載する構成を有する介護用パンツであって、前記吸収部材の少なくとも一層が布であることを特徴としている。
【発明の効果】
【００１０】
請求項１に記載の発明によれば、吸収部材が繰り返し再使用可能であるため、継続して大量に吸収部材を購入する必要がなく、長期に渡って介護用パンツを使用した場合の金銭的負担が小さくなる。また、吸収部材は２つの半腰巻吸収材と股間吸収材からなり、さらに半腰巻吸収材はパンツ本体の半腰巻部よりもさらに横方向に長く大型であるため、排泄物をより多く吸収することができる。さらに、突出部を外側に折り返して吸収部材の第１接着部材とパンツ本体の第３接着部材を接合することにより、吸収部材がパンツ本体に着脱自在に固定される。従って、吸収部材がパンツ本体内でずれにくい。吸収部材がずれ動いた場合であっても吸収部材自体がパンツ状の形状をしているため、排泄物の漏れを防ぐことができる。
【００１１】
また、パンツ本体が２つの半腰巻部の相向かい合う中央部同士を股間連結部で連結固定した形状であり、吸収部材も２つの半腰巻吸収材を股間吸収材の両端で連結固定したものであるため、パンツ本体と吸収部材を固定した後、いずれか１つの半腰巻部及び半腰巻吸収材を使用者の股下にくぐらせてから第２接着部材により両脇を接続することで、介護用パンツの左右の脚孔に脚を通すことなく、介護用パンツを着脱できる。したがって、使用者が自力で介護用パンツを着脱できない場合でも、介護者が容易に介護用パンツを着脱させることができる。さらに、パンツ本体を交換しなくとも、吸収部材のみを交換することにより、汚れていない面が陰部に接する。よって、陰部を清潔に保つことができる。
【００１２】
請求項２に記載の発明によれば、吸収部材の少なくとも一層が布であるため、通常の洗濯及び乾燥という簡便な処理のみにより吸収部材を再使用することができる。
【図面の簡単な説明】
【００１３】
【図１】本実施例に係る介護用パンツの展開図。
【図２】図１のＡ−Ａ線〜Ｈ−Ｈ線の一部省略拡大断面図。
【図３】本実施例に係る介護用パンツの組立手順。
【図４】本実施例に係る介護用パンツの図３の装着手順をパンツ本体の上下譚から見た概略説明図。
【図５】本実施例に係る介護用パンツの図３のI部拡大説明図。
【発明を実施するための形態】
【００１４】
以下に本発明に係る実施例の介護用パンツ１について、図面を参照しつつ説明する。図１は本実施例に係る介護用パンツ１の展開図であり、パンツ本体２と吸収部材３からなる。図１の最上段はパンツ本体２を外側及び内側から見た図、中段は吸収部材３を外側及び内側から見た図、下段はパンツ本体２と吸収部材３を重ねたものを外側から見た図である。なお、図１において、人体側の面を内側面、その反対側の面を外側面としている。以下の図においても同様である。
【００１５】
パンツ本体２は、防水性を有し、２つの半腰巻部４と股間連結部５とを備えるものであって、介護用パンツ１の最外面に位置し、介護用パンツ１から排泄物やその水分が漏れ出て衣服を汚すことを防ぐものである。半腰巻部４は下腹部又は腰部を覆う幅広な横長の略帯状の形状をしている。股間連結部５は陰部を覆う縦長の略帯状の形状をしており、幅狭な縦方向の両端縁で半腰巻部４に連結する。本実施例では、半腰巻部４の相向い合う側縁と股間連結部５の両側縦縁は緩やかな曲線を描いて繋がっている。
【００１６】
吸収部材３は、介護用パンツ１の最も内面に位置し、直接人体に接触し、排泄物を吸収して保持するものであり、排泄物を洗浄除去した後乾燥させて繰り返し再使用できるものである。また、吸収部材３は２つの半腰巻吸収材６と股間吸収材７とを備える。半腰巻吸収材６はパンツ本体２の半腰巻部４と略同様の形状であるが、さらに横方向に長い転点において異なっている。股間吸収材７はパンツ本体２の股間連結部５と同様の形状である。半腰巻吸収材６と股間吸収材７の位置関係も、パンツ本体２の半腰巻部４及び股間連結部５の位置関係と略同様である。図１に示すように、本実施例では、吸収部材３はパンツ本体２より僅かに横方向に大きく、半腰巻吸収材６の端が突出している。ここでは吸収部材３の半腰巻吸収材６の両端はパンツ本体２の半腰巻部４の両端と略同幅である矩形状に突出しているが、この突出部分は三角形、半円等の様々な形状にしてデザイン性を向上することができる。
【００１７】
また、本実施例では図１に示すようにパンツ本体２及び吸収部材３を平面で表しているが、立体的に形成された生地を用いたり、生地にダーツやギャザーを設けたり、プレスして生地を湾曲させたりすることにより、パンツ本体２及び吸収部材３をより立体的なものとすることができる。この場合、介護用パンツ１がより人体に添う形状となるため、排泄物の漏れをより効果的に防ぐことができる。
【００１８】
パンツ本体２及び吸収部材３は洗浄乾燥できるものであれば良いが、通常の下着やおむつ等と同程度の耐久性を備えていることが好ましい。綿、ウール等の天然繊維や、ナイロン、ポリエステル、ポリエチレン等の合成繊維、さらにこれらの混紡繊維など、様々なものを使用することができる。また、樹脂やゴム等をシート状に加工したもの等を使用することもできる。これらの繊維から形成される布は、不織布、織物、編物等のいずれでも良い。布を用いた場合は、通常のおむつ等と同様に洗濯乾燥が可能であるため、再使用のために特段の設備や手間を要しないという点で優れる。不織布を用いる場合、熱溶融により繊維を固定したもの、高圧水流により繊維を絡ませたもの等は柔軟性に富むため好適である。ニット織等の伸縮性がある布は、より人体にフィットし、隙間からの排泄物の漏れを防ぐことができる点で優れている。ただし、布の伸縮に伴い層内に保持した水分が染み出さないものであることが必要である。
【００１９】
図２は、図１の断面図であり、本実施例におけるパンツ本体２及び吸収部材３を示すものである。本実施例では、パンツ本体２は防水部材層８からなる。また吸収部材３の内側の面は吸収材９であり、外側の面は防水部材１０である。
【００２０】
ここでは、パンツ本体２は防水部材層８の1層のみで構成されているが、内側に図外の吸収材を追加することもできる。パンツ本体２を防水部材層８の1層のみで構成すれば、介護用パンツ１全体の厚みが減少し、着心地が良いという点で優れる。吸収材を加えると、介護用パンツ１の吸水性が向上し、排泄物の漏れをより防止することができるという点で優れる。同様に、吸収部材３についても、吸収材９や防水部材１０の数を適宜増加させることができる。特に、吸収材９は十分な量の排泄物を吸収保持できるよう、複数の層から構成されるのが好ましい。さらに、股間等の特に吸水性と防水性が必要となる部分のみに吸収材９、防水部材層８、防水部材１０を追加することもできる。この場合は、吸水性及び防水性を高めつつ、介護用パンツ１全体の厚さの増加を最低限に留めることができる点で好適である。
【００２１】
防水部材層８及び防水部材１０は、排泄物等の水分を透過しないものであれば良いが、透湿性及び通気性を備えるものが着用時の蒸れ防止の点で優れる。ゴム等の素材自体が防水性を備えているものや、微小な繊維を細かく織ることにより透湿防水性を備えたもの、また布に樹脂やフィルム等を付与することにより防水性を後から付加したもの等のいずれでも良い。
【００２２】
吸収材９は、排泄物を吸収保持できるものであれば良い。綿等の吸水性に優れた素材を用いたものや、繊維の断面を変形させたり繊維を多孔化させたりすることで吸水性に優れる構造としたもの、繊維を織物等に加工した後に吸水性を高める処理を行ったもの等のいずれでも良い。また、肌と接する面には肌触りが良い素材や速乾性に優れる素材を用いると、装着時の不快感が緩和され好適である。ドビー織等の小さな凹凸を有する織地やメッシュ生地、不織布は肌触りが良好であり濡れ感が緩和される点で優れている。
【００２３】
なお、パンツ本体２及び吸収部材３に抗菌性を備えるものを使用すると、細菌に感染する危険性を減少できる点で優れる。また、消臭及び防臭性を備えるものとすると、介護用パンツ１装着時の悪臭を減少できる点で優れる。公知の抗菌性及び消臭性や防臭性を有する物質をパンツ本体２及び吸収部材３の原料に混合するほか、パンツ本体２及び吸収部材３にこれらの性質を有する層を追加しても良く、パンツ本体２や吸収部材３を製造した後に公知の物質を固着させることによりこれらの性質を付与しても良い。特に、本発明の介護用パンツ１を医療機関や介護施設で使用する際は、抗菌性を備えていることが望ましい。
【００２４】
吸収部材３には第１接着部材１１及び第２接着部材１２が、パンツ本体２には第３接着部材１３が設けられている。第１接着部材１１及び第３接着部材１３はパンツ本体２と吸収部材３を固定するものであり、第２接着部材１２は吸収部材３の両脇を繋ぐものである。図１の最下段の図でよく判るように、第１接着部材１１は、半腰巻吸収材６の半腰巻部４より突出した部分の外側の面に設けられる。第３接着部材１３は、半腰巻部４の横方向の両端部の外側の面に設けられる。第２接着部材１２は半腰巻吸収材６の横方向の両端部の内側面の前記第１接着部材１１よりも半腰巻部４寄りに設けられる。
【００２５】
第１接着部材、第２接着部材及び第３接着部材は介護用パンツ１を着用して体を動かしても容易に外れることがなく、且つ、手で固着及び剥離ができるものであって、繰り返し洗濯できるものであれば良い。例として、面ファスナー、ボタン、スナップボタン、ベルト、種々のホック等が挙げられる。面ファスナーは着脱し易く、また薄いという点で優れている。ボタンは破損した場合でも交換が容易であるという点で優れている。カギホックは小型で薄く、引っ張りに強いという点で優れている。なお、第２接着部材１２は、介護用パンツ１着用時に人体に直接接触しないように取り付けられると、介護パンツ着用時の不快感や、皮膚の損傷等の問題を防ぐことができる。
【００２６】
本実施例では、第１接着部材１１、第２接着部材１２及び第３接着部材１３として面ファスナー１１、１２及び１３を用いる。図１の中段に示すように、面ファスナー１１は半腰巻吸収材６の両脇の縁近傍の外側面に４箇所、づ１の上段に示すように面ファスナー１３は半腰巻部４の両脇の縁近傍の外側面に４箇所設けられる。図１の中段に示すように面ファスナー１２は半腰巻吸収材６の内側面に４箇所設けられる。また、図１及び図２に示すように、面ファスナー１２のうち２つは半腰巻吸収材６の両脇の縁に近く、残り２つは両脇の縁から遠い位置にある。両脇の縁に近い面ファスナー１２及び遠い面ファスナー１２のいずれか一方が雄型（ホック型）であり、他方が雌型（ループ型）である。同様に、図１の最下段における、近接する面ファスナー１１及び面ファスナー１３のいずれか一方が雄型（ホック型）であり、他方が雌型（ループ型）である。ここでは、図１に示すように面ファスナー１１、１２及び１３を細い線状としているが、太い線状等様々な形状とすることができる。
【００２７】
本実施例に係る介護用パンツ１の組立手順及び装着手順を図３及び図４に示す。図４は本実施例の介護用パンツ１の装着手順をパンツ本体の上下端側から見た図である。なお、図４では、吸収部材３を構成する吸収材９及び防水部材１０の境界線を省略し、吸収部材３を一枚の布として表している。図５においても同様である。
【００２８】
まず、図３イ）及び図４イ）に示すように、吸収部材３の外側面（面ファスナー１１が存する側）にパンツ本体２の内側面を重ね、次に、図３ロ）及び図４ロ）に示すように、面ファスナー１１を面ファスナー１３に重ね合わせるように吸収部材３の半腰巻吸収材６の突出部分を外側に折り返し、面ファスナー１１と１３とを固着してパンツ本体２と吸収部材３を固定する。この折り返しにより、４箇所の面ファスナー１２のうち両脇の縁に近い２箇所は介護用パンツ１の外側に移動し、両脇の縁から遠い２箇所はそのまま介護用パンツ１の内側に残る。続いて、図３ハ）及び図４ハ）に示すように、パンツ本体２及び吸収部材３の半腰巻部４及び半腰巻吸収材６の前後のいずれか一方を使用者の股にくぐらせ、胴体に沿わせる。しかる後、図３ニ）及び図４ニ）に示すように、半腰巻部４及び半腰巻吸収材６の反対側を重ね合わせ、面ファスナー１２同士で両方の脇を固定する。組み立てられた介護用パンツ１の内側面は全て吸収部材３の内側面である吸収材９であり、さらに吸収部材３の半腰巻吸収材６の突出部は直接人体と接しない。
【００２９】
図５は、組み立てられた介護用パンツ１の側面（図３におけるI部）の拡大図である。接合された３組の面ファスナーはここでは近接しているが、重なっていても良い。また、面ファスナー１２の幅を広くすれば、パンツ本体２と吸収部材３とを重ねて固着したものの両脇の重ね幅を着用時に調整することができ、介護用パンツ１をより人体にフィットさせることが可能である。この場合、折り返し後も介護用パンツ１の内側の面に残る２箇所の面ファスナー１２は肌に直接触れるおそれがあるため、柔らかい雌型（ループ型）の面ファスナーとすることが好ましい。
【００３０】
本実施例に係る介護用パンツ１は、吸収部材３が大型であり、多量の排泄物を吸収できる。要介護者が寝たきりであっても、あらかじめパンツ本体２と吸収部材３を固定したものを要介護者の尻の下に敷き、介護用パンツ１の前面を要介護者の股をくぐらせて腹側に引っ張り出すことにより容易に介護用パンツ１を交換できる。また、半腰巻吸収材６の端が突出しており、外側に折り返されて介護用パンツ１の外側に出ているため、突出部分には排泄物の汚れがつきづらい。したがって、吸収部材３をパンツ本体２から取り外して交換する際に半腰巻吸収材６の突出部分を持つことにより、汚れた部分に触れずに交換することができる。さらに、使用済みの吸収部材３の４隅の突出部分を纏めて持つことで、排泄物を零すことなく吸収部材３を運搬できる。
【００３１】
また、第１接着部材１１、第２接着部材１２及び第３接着部材１３を面ファスナー１１、１２及び１３としたならば、固着及び剥離が容易である。従って、手先が不自由な者でも、自力で介護用パンツ１を着脱できる。また、広い面で固着するため外れにくい。さらに、面ファスナー１１、１２及び１３をより大きなものとしたり数を増やしたりすることにより、固着可能な面積を増加させることができる。これにより、面ファスナー１１、１２及び１３をより外れにくくしたり、脇を留める位置の微調整をすることが可能である。面ファスナー１１、１２及び１３を増やしても、着脱にかかる手間が増加することはない。加えて、面ファスナー１１、１２及び１３は薄いため、服のシルエットに影響しにくく、介護用パンツ１を着用していることが第三者に分かりにくい。
【００３２】
なお、本実施例は、本発明の実施形態の一つに過ぎず、発明の技術的範囲を逸脱しない程度で設計変更が可能である。
【産業上の利用可能性】
【００３３】
本発明に係る介護用パンツは、乳幼児用オムツ、生理用ショーツ、健常者の尿漏れ失禁用パンツ、軽度の要介護者用の介護用パンツ、寝たきり等の重度の要介護者用の布オムツ等として用いることができる。また、一般家庭での使用に限定されず、医療現場、介護施設等の様々な場所で用いることができる。
【符号の説明】
【００３４】
１  介護用パンツ
２  パンツ本体
３  吸収部材
４  半腰巻部
５  股間連結部
６  半腰巻吸収材
７  股間吸収材
８  防水部材層
９  吸収材
１０  防水部材
１１  第１接着部材（面ファスナー）
１２  第２接着部材（面ファスナー）
１３  第３接着部材（面ファスナー）
【図１】
2014233492.tif 000003
【図２】
2014233492.tif 000004
【図３】
2014233492.tif 000005
【図４】
2014233492.tif 000006
【図５】
2014233492.tif 000007